(57)【要約】【課題】  複数の情報端末装置とプロジェクタとの間でネットワーク接続を行い、情報端末装置が保有する画像データファイルを共有化できるプロジェクタのネットワークシステムを提供する。【解決手段】  プロジェクタのネットワークシステムは、情報端末装置とネットワーク接続可能なプロジェクタ１０とから構成され、前記情報端末装置は、画像データをプロジェクタ１０に供給するパーソナルコンピュータ１０１と、このパーソナルコンピュータ１０１と無線で接続されるパーソナルコンピュータ１１０，１２０とから構成され、パーソナルコンピュータ１０１とプロジェクタ１０とのネットワーク接続が確立されているときに、パーソナルコンピュータ１０１とパーソナルコンピュータ１１０，１２０とのネットワーク接続が確立されるとき、これらのパーソナルコンピュータ間で画像データを共有する。【選択図】      図１
2005208823.tif 000002
【特許請求の範囲】
【請求項１】
情報端末装置とネットワーク接続可能なプロジェクタのネットワークシステムであって、
前記情報端末装置は、画像データを無線ＬＡＮを用いて前記プロジェクタに供給するホスト情報端末装置と、該ホスト情報端末装置以外のクライアント情報端末とから構成され、
前記情報端末装置と前記プロジェクタとのネットワーク接続が確立されているときに、前記情報端末装置間で画像データを共有することを特徴とするプロジェクタのネットワークシステム。
【請求項２】
請求項１に記載のプロジェクタのネットワークシステムにおいて、
前記プロジェクタは、前記情報端末装置とのネットワーク接続を確立するためのパスワードを生成するためのパスワード生成部と、
前記プロジェクタの電源をＯＮした時に、該パスワードと前記プロジェクタの固有符号とを投写する投写部と、
を備えることを特徴とするプロジェクタのネットワークシステム。
【請求項３】
請求項１または請求項２に記載のプロジェクタのネットワークシステムにおいて、
前記情報端末装置に、投写された前記パスワードと前記固有符号とを入力することによって、前記プロジェクタと前記情報端末装置とのネットワーク接続が確立することを特徴とするプロジェクタのネットワークシステム。
【請求項４】
請求項１ないし請求項３のいずれかに記載のプロジェクタのネットワークシステムにおいて、
前記パスワード生成部は、前記プロジェクタの電源をＯＮした時に、前記パスワードを不規則に生成されることを特徴とするプロジェクタのネットワークシステム。
【請求項５】
請求項１ないし請求項４のいずれかに記載のプロジェクタのネットワークシステムにおいて、
前記情報端末装置は、前記プロジェクタとのネットワーク接続に必要な情報表示領域を備え、
この情報表示領域には、少なくとも、ネットワーク接続可能なプロジェクタを示すプロジェクタリストと、接続操作表示部と、共有ファイル表示部と、パスワード入力表示部と、
を備えていることを特徴とするプロジェクタのネットワークシステム。
【請求項６】
請求項１ないし請求項５のいずれかに記載のプロジェクタのネットワークシステムにおいて、
前記情報端末装置と前記プロジェクタとのネットワーク接続が確立されているときに、
前記クライアント情報端末装置に所定の操作を行うことによって、当該クライアント情報端末装置がホスト情報端末装置となり、当該情報端末装置から供給する画像情報を前記プロジェクタが投写することを特徴とするプロジェクタのネットワークシステム。
【請求項７】
請求項１ないし請求項６のいずれかに記載のプロジェクタのネットワークシステムにおいて、
前記プロジェクタと前記ホスト情報端末装置とのネットワーク接続が確立されたときに、前記プロジェクタの固有符号と前記パスワードの表示領域が、投写された画像データのエリア外に表示されることを特徴とするプロジェクタのネットワークシステム。
【請求項８】
請求項１ないし請求項７のいずれかに記載のプロジェクタのネットワークシステムにおいて、
前記ネットワークシステムは、無線暗号通信を用いた接続であり、
前記プロジェクタは、前記パスワードを用いて前記ホスト情報端末装置と無線暗号通信を行うことを特徴とするプロジェクタのネットワークシステム。
【発明の詳細な説明】
【技術分野】
【０００１】
本発明は、画像データを供給する情報端末装置と、その画像データを投写するプロジェクタとのネットワークシステムに関する。
【背景技術】
【０００２】
近来、パーソナルコンピュータ等の情報端末装置の表示画面の内容をスクリーンに拡大投写するプロジェクタが普及している。これらのプロジェクタは、有線通信あるいは無線通信によってパーソナルコンピュータとネットワーク接続して使用される。特に、ネットワーク接続の簡易性から場所等の制約が小さい無線ＬＡＮを用いたプロジェクタのネットワークシステムが提供されている。
【０００３】
無線ＬＡＮを用いたプロジェクタのネットワークシステムは、パーソナルコンピュータとプロジェクタとのネットワーク接続を確立するために、画像データの送信側と受信側とで共通のパスワードが必要とされる。このようなプロジェクタのネットワークシステムとして、プロジェクタに上述のパスワードを生成するパスワード生成部と、このパスワードを投写する投写部と、を備え、接続するパーソナルコンピュータに、このパスワードを入力することでネットワーク接続を行うプロジェクタのネットワークシステムが知られている（例えば、特許文献１参照）。
【０００４】
【特許文献１】特開２００３−６９９２３号公報（第５頁、第６頁、図１）
【発明の開示】
【発明が解決しようとする課題】
【０００５】
このような特許文献１では、画像データを供給する情報端末装置とプロジェクタとは、パスワード生成部で生成されてスクリーンに投写される共通のパスワードを保有することで、ネットワークの接続が確立されると共に、無線ＬＡＮを用いる場合でも、スクリーンに投写されるパスワードを共有できる環境にいるユーザーだけが、ネットワークに参加できるというシステムを提供できる。
【０００６】
しかしながら、視聴者が、投写された画像データを会議室や広いプレゼンテーション会場で見る場合に、スクリーンに投写された画像が小さくなり読みにくくなることが考えられ、また、投写されていない同じ画像データファイルの内の別の画像データを任意に見たい場合も考えられる。
【０００７】
本発明の目的は、画像データを供給可能な複数の情報端末装置とプロジェクタ、情報端末装置間でネットワーク接続を行い、情報端末装置が保有する画像データファイルを共有化できるプロジェクタのネットワークシステムを提供することである。
【課題を解決するための手段】
【０００８】
本発明のプロジェクタのネットワークシステムは、情報端末装置とネットワーク接続可能なプロジェクタのネットワークシステムであって、前記情報端末装置は、画像データを無線ＬＡＮを用いて前記プロジェクタに供給するホスト情報端末装置と、該ホスト情報端末装置以外のクライアント情報端末とから構成され、前記情報端末装置と前記プロジェクタとのネットワーク接続が確立されているときに、前記情報端末装置間で画像データを共有することを特徴とする。
ここで、情報端末装置としては、ノート型パーソナルコンピュータを採用することができる。
また、ホスト情報端末は、プレゼンターがプロジェクタに画像データを供給するパーソナルコンピュータであり、クライアント情報端末装置は、視聴者が保有するホスト情報端末装置から画像データが供給されるパーソナルコンピュータである。
また、画像データを共有するとは、投写された画像だけでなく、クライアント情報端末装置において、例えば、ホスト情報端末装置が供給する投写対象の画像データファイルのうち投写されていない画像データを取り出してみることも、画面の拡大、縮小、移動を行うことができることを含む。
【０００９】
この発明によれば、画像データを供給するホスト情報端末装置とプロジェクタとが、無線ＬＡＮでネットワーク接続が確立されたときに、クライアント情報端末装置とホスト情報端末装置とのネットワーク接続も確立されるので、ホスト情報端末装置が供給する画像データをクライアント情報端末装置でも共有できるため、視聴者が手元のパーソナルコンピュータの画面でプレゼンテーション画像をみることができる。従って、広い会場や投写された画像が小さい場合であっても、鮮明な画像を見ることができる。
【００１０】
前述の構成において、前記プロジェクタは、前記情報端末装置とのネットワーク接続を確立するためのパスワードを生成するためのパスワード生成部と、前記プロジェクタの電源をＯＮした時に、該パスワードと前記プロジェクタの固有符号とを投写する投写部と、を備えることが好ましい。
【００１１】
無線ＬＡＮによるネットワークの接続は、情報端末装置とプロジェクタの間に共通のパスワードが必要となるが、前述の構成によれば、プロジェクタ側にパスワード生成部が備えられ、パスワードとプロジェクタ固有符号とが投写表示されるため、プレゼンテーション会場にいる視聴者は、そのパスワードとプロジェクタの固有符号を知ることができ、プレゼンター及び視聴者が保有するパーソナルコンピュータのネットワーク接続がし易いという効果がある。
【００１２】
前述したような構成では、前記情報端末装置に、投写された前記パスワードと前記固有符号とを入力することによって、前記プロジェクタと前記情報端末装置とのネットワーク接続が確立されることが好ましい。
【００１３】
プロジェクタと情報端末装置とをネットワーク接続する場合、接続相手が正当な相手か否かをパスワードを用いて認証を行う。情報端末装置はキーボード、マウス等の入力手段を備えることが多いので、キーボードやマウスを用いてプロジェクタ固有符号とパスワードの入力が容易にできる。
また、例えば、同じプレゼンテーション会場に複数のプロジェクタが準備されている場合に、プロジェクタの固有符号も投写されるため、プロジェクタ固有符号と、パスワードを入力することで、複数のプロジェクタを切換えて使用することができる。
【００１４】
また、前記パスワード生成部は、前記プロジェクタの電源をＯＮした時に、前記パスワードを不規則に生成されることが好ましい。
【００１５】
このような構成によれば、このパスワードは、プロジェクタの電源をＯＮした時に、パスワード生成部によって、例えば、乱数表を用いて生成される。従って、当該プロジェクタを新たに使用するたび（電源をＯＮするごと）にパスワードが生成、更新される。よって、このパスワードを入手するためには、プレゼンテーション会場にいなければならず、会場にいない場合はパスワードを入手できないためネットワーク接続ができないので情報の漏洩にも効果がある。
【００１６】
前記情報端末装置は、前記プロジェクタとのネットワーク接続に必要な情報表示領域を備え、この情報表示領域には、少なくとも、ネットワーク接続可能なプロジェクタを示すプロジェクタリストと、接続操作表示部と、共有ファイル表示部と、前記パスワード入力表示部と、を備えていることが好ましい。
ここで、接続操作表示部とは、ネットワークへの参加、ネットワークの接続、または切断を行う指示命令のための表示部を含む。共有ファイル表示部は、プロジェクタで投写される画像データで、ネットワーク接続されたクライアント情報端末装置が共有できる画像データファイルを示す。
【００１７】
情報端末装置は、このような接続操作に係わる表示部を備えており、これらの表示部に対応して、プロジェクタの固有符号とパスワードを入力して、ネットワーク接続のための認証要求をすることで、プレゼンター及び視聴者が当該情報端末装置とプレゼンテーション用のプロジェクタとを容易にネットワーク接続をすることができる。
【００１８】
前述した本発明の構成によれば、前記情報端末装置と前記プロジェクタとのネットワーク接続が確立されているとき、前記クライアント情報端末装置に所定の操作を行うことによって、当該クライアント情報端末装置がホスト情報端末装置となり、当該情報端末装置から供給する画像情報を前記プロジェクタが投写することが好ましい。
ここで、所定の操作とは、共有ファイル表示部に画像データファイルをドラッグ・アンド・ドロップの操作で添付する等の操作を採用できる。
【００１９】
このようにすれば、クライアント情報端末装置をホスト情報端末装置に一瞬にして置き換えることができる。このことは、複数のプレゼンターが短時間のうちに新たな画像データを投写し、プレゼンテーションを開始することができることを示す。また、この画像データファイルは、他の情報端末装置が共有することができる。
【００２０】
また、前述した構成では、前記プロジェクタと前記ホスト情報端末装置とのネットワーク接続が確立されたときに、前記プロジェクタの固有符号と前記パスワードの表示領域が、投写された画像データのエリア外に表示されることが望ましい。
ここで、画像データのエリア外に表示されるとは、投写された画像データの視認を妨げない位置への移動の他、縮小も含む。
【００２１】
このようにすれば、ネットワーク接続を確立するために必要なパスワードと画像データを表示する対象プロジェクタの固有符号が常時表示されているため、いつでも必要なときに、視聴者がクライアント情報端末装置のネットワーク接続を確立してホスト情報端末の当該画像データを手元のクライアント情報端末で見ることができる。
【００２２】
さらに、前述の構成では、前記ネットワークシステムは、無線暗号通信を用いた接続であり、前記プロジェクタは、前記パスワードを用いて前記ホスト情報端末装置と無線暗号通信を行うことが望ましい。
【００２３】
無線ＬＡＮを用いたネットワーク接続では、不特定多数の人がネットワークにアクセスできることになるため、暗号無線通信が用いられる。本発明では、パスワード生成部でパスワードを生成し、このパスワードを用いて情報端末装置とプロジェクタとの暗号通信を行うために、情報のセキュリティが確保される。
なお、前述したように、スクリーンに投写されたパスワードを情報端末装置に入力することによってのみネットワーク接続が確立されるので、プレゼンテーション会場に居る視聴者だけがこのネットワークに参加することができる。
【発明を実施するための最良の形態】
【００２４】
以下、本発明の実施の形態を図面に基づいて説明する。
図１、図２は本発明の実施例のプロジェクタのネットワークシステムが示されている。
【実施例】
【００２５】
図１は、本発明の実施例によるプロジェクタのネットワークシステムの概略構成を示す説明図が示されている。
図１において、本実施例のプロジェクタのネットワークシステムは、プロジェクタ１０と、パーソナルコンピュータ１０１，１１０，１２０とを無線通信でネットワーク接続することで構成されている。図１では、パーソナルコンピュータは３台接続されているが、パーソナルコンピュータの台数は３台に限らず何台接続してもよい。また、パーソナルコンピュータの代わりに、他の情報端末装置を用いるものとしてもよい。なお、このプロジェクタのネットワークシステムは、会議室や講堂等のプレゼンテーション会場の限られた空間で使用される。
【００２６】
パーソナルコンピュータ１０１，１１０，１２０には、無線通信を行うための無線ＬＡＮカード１３０が挿着されている。この無線ＬＡＮカード１３０を用いて、プロジェクタ１０及び前述のパーソナルコンピュータ間の相互通信が行われる。ここで、本実施例では、パーソナルコンピュータ１０１はプロジェクタ１０に画像データを送信するホスト情報端末装置とし、パーソナルコンピュータ１１０，１２０はホスト情報端末装置以外のクライアント情報端末装置として説明する。
【００２７】
プロジェクタ１０は、パーソナルコンピュータ１０１から受信した画像データをスクリーン２００に拡大投写する、いわゆるデータプロジェクタである。プロジェクタ１０とパーソナルコンピュータ１０１とは、暗号通信を行う。本実施例では、プロジェクタ１０とパーソナルコンピュータ１０１，１１０，１２０のそれぞれに同じパスワードを設定し、このパスワードを用いてネットワーク接続の認証と、暗号化及び復号化を行うものとした。
【００２８】
プロジェクタ１０は、電源スイッチ７０と、パスワードを生成するパスワード生成部２０と、表示制御部３０と、画像データをスクリーン２００に投写する投写部４０と、無線通信を行う無線ＬＡＮインターフェース６０とを備えている。また、通信プロトコル、アドレス等、ネットワーク接続のための設定情報を記憶する記憶部５０をさらに備えている。
【００２９】
パスワード生成部２０は、電源スイッチ７０をＯＮしたときに、後述するプロジェクタ１０の無線ＬＡＮインターフェース及びパーソナルコンピュータ１０１，１１０，１２０で共通に用いられるパスワードを生成する。本実施例では、パスワードの生成には、乱数表を用いるものとする。ここでは、プロジェクタ１０の電源投入（電源スイッチ７０をＯＮ）によって不連続にパスワードが生成される。また、電源をＯＦＦしたときにパスワードがリセットされる。
なお、電源をＯＮにすると、生成されたパスワード及び使用するプロジェクタ１０の固有符号がスクリーン２００に投写される。
【００３０】
表示制御部３０は、パーソナルコンピュータ１０１から入力された画像データに対して種々の画像処理を行い、投写部が投写する画像を生成する。この際、電源をＯＮした時には、図示したようにパスワード（図中、４桁の数字）やプロジェクタ固有符号（図中、ＥＰＳＯＮ１と表示）がスクリーン２００に投写される。表示制御部３０には、表示指定部３１が接続されており、ユーザーの表示指定部３１を操作することによって、スクリーン２００上でのパスワード、プロジェクタの固有符号の表示位置や文字の大きさを見やすいように任意に指定することができる。
【００３１】
無線ＬＡＮインターフェース６０は、パスワード生成部２０で生成されたパスワードを用いてネットワーク接続の認証を行う暗号通信部（図示しない）を備えている。また、パーソナルコンピュータ１０１から受信した暗号化された画像データを復号化して表示制御部３０に供給する。
【００３２】
パーソナルコンピュータ１０１，１１０，１２０は、図示しないが、通信部（無線ＬＡＮカードが挿着される）、アプリケーションソフトウエア、入力部等を備えている。パーソナルコンピュータ１０１，１１０，１２０のユーザーは、前述したスクリーン２００に投写されたパスワード、プロジェクタ１０の固有符号を図示しないキーボードやマウスの操作によって入力する。この際、パーソナルコンピュータ１０１，１１０，１２０の表示画面のネットワーク接続に必要な情報表示領域１０２には、画像データを投写する対象プロジェクタのプロジェクタリスト１５１、操作表示部としての切断表示部１５４、接続表示部１５３、参加表示部１５５、共有される画像データファイルを表示する共有ファイル表示部１５７、パスワード入力表示部１５６が表示される。共有ファイル表示部に、パーソナルコンピュータの内部メモリ、メモリカード、ネットワークサーバー等にある画像データが、ドラッグ・アンド・ドロップ等の方法で添付されると、その画像データは共有が許可される。
【００３３】
これらの情報表示領域１０２に表示されている各機能表示をクリックすることで、機能の選択と指示が行われる。図１では、パスワードは４桁の数字１５４３が入力され、プロジェクタリストにはＥＰＳＯＮ１が選択入力され、接続表示部１５３または参加表示部１５５をクリックすることでプロジェクタ１０とパーソナルコンピュータ１０１とのネットワーク接続が確立される。
【００３４】
なお、ホスト情報端末装置とクライアント情報端末装置とのネットワーク接続が確立され、画像データファイルが共有された場合、この画像データファイルが、プレゼンターの意に反してコピーされることが考えられる。従って、本実施例では、図１に示すように接続情報表示領域１０２内にコピー可表示部１５８、コピー禁止表示部１５９を表示し、プレゼンターがコピーを認める場合は、コピー可表示を選択することで、コピーを可能にし、コピー禁止表示を選択することでコピーが不可能にすることができる。
【００３５】
続いて、プロジェクタ１０とパーソナルコンピュータ１０１（ホスト情報端末装置としての）とのネットワーク接続の手順について説明する。
図２は、プロジェクタ１０とパーソナルコンピュータ１０１とのネットワーク接続の流れを示すフローチャートである。図中、左側にプロジェクタ１０の流れを、右側にパーソナルコンピュータ１０１の流れをそれぞれ示している。まず、プロジェクタ１０の電源を投入（電源スイッチ７０をＯＮ）すると（ＳＴ１）、パスワード生成部２０でパスワードを生成し（ＳＴ２）、パスワードとプロジェクタの固有符号と共にスクリーン２００に投写される（ＳＴ３）。ホスト情報端末装置側では、パーソナルコンピュータ１０１のプロジェクタ接続ソフトを立上げる（ＳＴ４）。この際、パーソナルコンピュータ１０１の表示画面には、情報表示領域１０２が表示される。
【００３６】
続いて、ユーザーがスクリーン２００上に投写されたプロジェクタ固有符号をプロジェクタリスト１５１の中から選択し（ＳＴ５）、接続表示部１５３をクリックする（ＳＴ６）。次に、パスワードをキーボード等の操作で入力する（ＳＴ７）と、パーソナルコンピュータ１０１はプロジェクタ１０との通信接続を確立するために、入力されたパスワードとプロジェクタ固有符号を用いてネットワークの接続の認証要求を行う（ＳＴ８）。
【００３７】
プロジェクタ１０は、パーソナルコンピュータ１０１からの認証要求に応じてパスワードとプロジェクタ固有符号の一致を確認し、パーソナルコンピュータ１０１との通信が確立される（ＳＴ９）。通信が確立されると、スクリーン２００に投写されたプロジェクタ固有符号とパスワードの表示を縮小し、プレゼンテーション画像の視認を妨げない位置に移動させる（ＳＴ１０）。なお、パスワードの投写開始から所定の時間を経過した後に投写を停止してもよい。このようにすれば、パスワードの秘匿性を高めることができる。
こうして、ネットワークの接続が確立されると、プロジェクタ１０とパーソナルコンピュータ１０１との通信が可能となる。
【００３８】
そこで、パーソナルコンピュータ１０１は、プレゼンテーションする画像データを送信する（ＳＴ１１）。すると、プロジェクタ１０は画像処理を行い、スクリーン２００にその画像データを投写する（ＳＴ１２）。
なお、前述のパスワード等の縮小化は、画像データ（プレゼンテーション画面）が投写された後に行ってもよい。
【００３９】
続いて、他のクライアント情報端末装置としてのパーソナルコンピュータ１１０，１２０のネットワーク接続について説明する。
図３は、クライアント情報端末装置としてのパーソナルコンピュータ１１０とホスト情報端末装置としてのパーソナルコンピュータ１０１とのネットワーク接続の手順を示すフローチャートである。パーソナルコンピュータ１２０もパーソナルコンピュータ１１０と同じ手順でネットワーク接続が可能であるため説明は省略する。図３において、左側はパーソナルコンピュータ１０１の流れを示し、右側はパーソナルコンピュータ１１０の流れを示している。ここで、パーソナルコンピュータ１０１では、前述した手順でプロジェクタ１０との接続が確立している（ＳＴ９）。その後、画像データが共有ファイル表示部１５７に貼り付けられ（ＳＴ１３）、共有が許可されている。
【００４０】
パーソナルコンピュータ１１０もプロジェクタソフト立上げ（ＳＴ２０）から認証要求（ＳＴ２４）までは、パーソナルコンピュータ１０１と同じ流れ（ＳＴ４〜ＳＴ９）であるが、プロジェクタ１０に画像を送信するのではなく、画像データの共有のための接続であるため、参加表示部１５５をクリックすることになる（ＳＴ２２）。これにより、プロジェクタ１０との通信が確立されると（ＳＴ２５）、この通信チャンネルはネットワークシステム内で共通のため、自動的にパーソナルコンピュータ１０１とパーソナルコンピュータ１１０とのネットワーク接続が確立されて、共有が許可された画像データをパーソナルコンピュータ１１０で見ることができる（ＳＴ２６）。
【００４１】
この際、パーソナルコンピュータ１０１の共有ファイル表示部１５７に画像データを貼り付ける（ＳＴ１３）ことにより、貼り付けられた画像データファイルがパーソナルコンピュータ１１０における仮想ディスクに保管されている状態となり、共有が許可された画像データを取り出し閲覧することができるのである。また、パーソナルコンピュータ１１０のユーザーが、画像データの拡大や表示位置の移動などもキーボード、マウス等を操作して自在に行うことができる。
【００４２】
次に、パーソナルコンピュータ１１０が保有している画像データをパーソナルコンピュータ１０１に代わって供給する手順について説明する。
図４は、この手順を示すフローチャートの一部である。左側がパーソナルコンピュータ１０１の流れを示し、中央がプロジェクタ１０の流れを示し、右側がパーソナルコンピュータ１１０の流れを示す。パーソナルコンピュータ１２０は、パーソナルコンピュータ１１０と同じ手順で操作するため説明は省略する。図４において、パーソナルコンピュータ１０１の流れは、画像データ送信（ＳＴ１１）までは、図２で示した流れと同じである。ここで、パーソナルコンピュータ１１０の画像データに切換えて投写する場合、パーソナルコンピュータ１０１は、ネットワーク接続に必要な情報表示領域１０２に表示されている切断表示部１５４をクリックして、プロジェクタ１０への画像データの供給を切断する（ＳＴ３０）。プロジェクタ１０は、プレゼンテーション画面の投写を停止する（ＳＴ３１）。
【００４３】
パーソナルコンピュータ１１０は、図３において示した流れの通信確立（ＳＴ２５）までは同じであるため説明は省略する。パーソナルコンピュータ１０１からのプロジェクタ１０への画像データ供給が切断されてから、接続表示部１５３をクリックする（ＳＴ４０）と、パーソナルコンピュータ１１０とプロジェクタ１０との通信が確立され（ＳＴ４１）、パーソナルコンピュータ１１０の画像データがプロジェクタ１０に送信され（ＳＴ４２）、プロジェクタ１０は、パーソナルコンピュータ１１０の画像データをスクリーン２００に投写する（ＳＴ４３）。つまり、この時点で、パーソナルコンピュータ１１０がホスト情報端末装置、パーソナルコンピュータ１０１がパーソナルコンピュータ１２０と同じクライアント情報端末装置に代わるということを意味している。
【００４４】
なお、この場合では、パーソナルコンピュータ１１０はホスト情報端末装置となるので、共有ファイル表示部１５７に画像データを添付し、共有を許可することが可能になる。また、パーソナルコンピュータ１０１は、クライアント情報端末装置として、共有を許可された画像データを見ることができる。
【００４５】
また、前述の実施例の構成によれば、クライアント情報端末装置はホスト情報端末装置の画像データ（画像ファイル）だけでなくホスト情報端末装置からプロジェクタに送信している画像データを取得して表示することもできる。クライアント情報端末側でも、共有ファイル表示部１５７に画像データを添付することができ、その画像データをホスト情報端末装置も参照することができてもよい。
また、ホスト情報端末装置とクライアント情報端末装置との切換えで、ホスト情報端末装置が切断される前に、クライアント情報端末装置が接続をクリックするだけで切換るようにしてもよい。
【００４６】
さらに、プロジェクタ１０に画像データを送信する情報端末装置がない場合、即ち全員が参加の状態でも、画像データの共有が可能であってもよい。
ホスト情報端末装置からプロジェクタ１０に送信する画像データは、画像データそのものではなく、画像データファイルのデータで、プロジェクタ１０は画像データファイルを再生する機能を持つものでもよい。
【００４７】
従って、前述の実施例によれば、画像データを供給するホスト情報端末装置としてのパーソナルコンピュータ１０１とプロジェクタ１０とが、無線ＬＡＮでネットワーク接続が確立されたときに、クライアント情報端末装置としてのパーソナルコンピュータ１１０，１２０とパーソナルコンピュータ１０１とのネットワーク接続も確立されるので、パーソナルコンピュータ１０１が供給する画像データを他のパーソナルコンピュータ１１０，１２０でも共有できる。このことによって、視聴者が手元のパーソナルコンピュータの画面で、プレゼンテーション画像を見ることができる。従って、広い会場やスクリーン２００上に投写される画像が小さく視認しにくい場合であっても、鮮明な画像を見ることができる。
【００４８】
また、無線ＬＡＮによるネットワークの接続は、情報端末装置とプロジェクタの間に共通のパスワードが必要となるが、前述の実施例の構成によれば、プロジェクタ１０側にパスワード生成部２０が備えられ、プロジェクタ１０の電源をＯＮした時に直ちにパスワードが生成され、このパスワードとプロジェクタ固有符号とが投写表示されるため、プレゼンテーション会場にいる視聴者は、そのパスワードとプロジェクタの固有符号を知ることができ、プレゼンター及び視聴者の保有する情報端末装置のネットワーク接続がし易いという効果がある。
【００４９】
このパスワードは、プロジェクタ１０の電源をＯＮした時に、パスワード生成部２０によって、例えば、乱数表を用いて生成、更新される。従って、プロジェクタ１０を新たに使用するたびにパスワードが更新される。よって、このパスワードを入手するためには、プレゼンテーション会場にいなければならず、会場にいない場合はパスワードを入手できないため、ネットワーク接続ができないので情報の漏洩にも効果がある。
【００５０】
また、プロジェクタ１０とパーソナルコンピュータ１０１，１１０，１２０とをネットワーク接続する場合、接続相手が正当な相手か否かをパスワードを用いて認証を行う。パーソナルコンピュータ１０１，１１０，１２０はキーボード、マウス等の入力手段を備えることが多いので、キーボードやマウスを用いて、プロジェクタ固有符号とパスワードの入力が容易にできる。
また、例えば、同じプレゼンテーション会場に複数のプロジェクタが準備されている場合に、プロジェクタの電源をＯＮすれば、プロジェクタの固有符号も投写されるため、その固有符号と、パスワードを入力することで、複数のプロジェクタを切換えて使用することができる。
【００５１】
さらに、前述の本実施例では、パーソナルコンピュータ１０１，１１０，１２０は、プロジェクタ１０とのネットワーク接続に必要な情報表示領域１０２を備え、この情報表示領域１０２には、少なくとも、ネットワーク接続に必要な表示項目が備えられている。これらの表示項目に対応して、投写されているプロジェクタ固有符号とパスワードを入力して、ネットワーク接続認証要求を送信することで、プレゼンター及び視聴者が保有するパーソナルコンピュータ１０１，１１０，１２０とプレゼンテーションに用いるプロジェクタ１０とを容易にネットワーク接続をすることができる。
【００５２】
また、パーソナルコンピュータ１０１とプロジェクタ１０とのネットワーク接続が確立されているとき、クライアント情報端末装置としてのパーソナルコンピュータ１１０または１２０の共有ファイル表示部に、パーソナルコンピュータ１１０またはパーソナルコンピュータ１２０に格納されている画像データファイルをドラッグ・アンド・ドロップすることによって、パーソナルコンピュータ１１０またはパーソナルコンピュータ１２０が供給する画像情報を投写することができるので、クライアント情報端末装置をホスト情報端末装置に一瞬にして置き換えることができる。このことは、複数のプレゼンターが短時間のうちに交代し、新たな画像データを投写することができ、プレゼンテーションを開始することができることを示す。また、この画像データファイルは、パーソナルコンピュータ１０１はもとより、他のユーザーが保有するパーソナルコンピュータも共有することができる。
【００５３】
また、前述した実施例では、プロジェクタ１０とホスト情報端末装置としてのパーソナルコンピュータ１０１とのネットワーク接続が確立されたとき、または、プレゼンテーション用の画像データが投写されたときに、プロジェクタ固有符号とパスワードの表示領域が、投写された画像データの表示エリア外に縮小されて常時表示されているので、いつでも必要なときに、視聴者が保有するクライアント情報端末装置としてのパーソナルコンピュータのネットワーク接続を確立して、ホスト情報端末としてのパーソナルコンピュータの当該画像データを手元のパーソナルコンピュータで見ることができる。
【００５４】
無線ＬＡＮを用いたネットワーク接続では、不特定多数の人がアクセスできることになるため、暗号無線通信が用いられる。前述した本実施例では、パスワード生成部２０でパスワードを生成し、このパスワードを用いてパーソナルコンピュータ１０１，１１０，１２０とプロジェクタ１０との暗号通信を行うために、情報のセキュリティが確保される。
なお、前述したように、スクリーン２００に投写されたパスワードを情報端末装置に入力することによってのみネットワーク接続が確立されるので、プレゼンテーション会場に居る視聴者だけがこのネットワークに参加することができる。
【００５５】
なお、本発明は前述の実施例に限定されるものではなく、本発明の目的を達成できる範囲での変形、改良等は本発明に含まれるものである。
例えば、前述の実施例では、パーソナルコンピュータ１０１，１１０，１２０の３台（図１、参照）とプロジェクタ１０とのネットワーク接続としたが、このネットワーク接続のための通信は同じ通信チャンネルであるため、パーソナルコンピュータの数は限定されないため、多くの視聴者がこのネットワークに参加することができる。
【００５６】
また、前述の実施例では、プロジェクタ１０の電源をＯＮした時にパスワードを生成したが、このパスワードの生成は、プロジェクタ１０にパスワード生成指示部を備え、ユーザーの指示によってパスワードを生成することもできる。
このようにすれば、パスワードの生成が、ユーザーの指示によって生成されるので、ネットワークへの不正接続や通信データの傍受を防止することができる。
【００５７】
また、前述の実施例では、無線ＬＡＮによる無線通信を行う場合について説明したが、有線通信を採用する場合にも適用することができる。
【００５８】
さらには、前述の実施例では、プロジェクタ１０を用いた画像投写システムについて説明したが、画像表示装置と情報端末装置とがネットワーク接続された他の画像表示システムに適用することも可能である。
【００５９】
従って、前述の実施例によれば、画像データを供給可能な複数の情報端末装置とプロジェクタ、情報端末装置間でネットワーク接続を行い、情報端末装置が保有する画像データファイルを共有化できるプロジェクタのネットワークシステムを提供することができる。
【図面の簡単な説明】
【００６０】
【図１】本発明の実施例に係るプロジェクタのネットワークシステムの概略構成を示す説明図。
【図２】本発明の実施例に係るプロジェクタとパーソナルコンピュータとのネットワーク接続の流れを示すフローチャート。
【図３】本発明の実施例に係るパーソナルコンピュータ相互のネットワーク接続の流れを示すフローチャート。
【図４】本発明の実施例に係るパーソナルコンピュータ１１０が保有している画像データを供給する流れを示すフローチャートの一部。
【符号の説明】
【００６１】
１０…プロジェクタ、２０…パスワード生成部、３０…表示制御部、４０…投写部、５０…記憶部、６０…無線ＬＡＮインターフェース、７０…電源スイッチ、１０１，１１０，１２０…パーソナルコンピュータ。
【図１】
2005208823.tif 000003
【図２】
2005208823.tif 000004
【図３】
2005208823.tif 000005
【図４】
2005208823.tif 000006